(57)【要約】  発光装置のビニング用のビンインサートが、中空構造部（１）を備える。中空構造部（１）は、中空構造部（１）の上部側端部（１１）における上部開口部（１３）および底部側端部（１２）における底部開口部（１４）を備える。壁部（１５）が、上部開口部（１３）と底部開口部（１４）との間に主軸（１０）に沿って伸長している。壁部（１０）における傾斜部分（１６）が主軸（１０）に平行に伸長している。壁部（１５）における傾斜部分（１７）が或る傾き角で主軸（１０）の方向に伸長している。平行部分（１６）および傾斜部分（１７）は、角部を有する落下経路を中空構造部（１）内に画定するように配置されている。【選択図】図１
2018517635.tif 000002
【特許請求の範囲】
【請求項１】
中空構造部（１）を備える、発光装置のビニング用のビンインサートであって、
前記中空構造部（１）は、
−  前記中空構造部（１）の上部側端部（１１）における上部開口部（１３）および底部側端部（１２）における底部開口部（１４）と、
−  前記上部開口部（１３）と前記底部開口部（１４）との間に主軸（１０）に沿って伸長する壁部（１５）と、
−  前記壁部（１５）における平行部分（１６）であって、前記平行部分において前記壁部（１５）は、前記主軸（１０）に平行に伸長している、平行部分（１６）と、
−  前記壁部（１５）における傾斜部分（１７）であって、前記傾斜部分（１７）において前記壁部（１５）は、或る傾き角で前記主軸（１０）の方向に伸長し、前記平行部分（１６）および前記傾斜部分（１７）は、角部を有する落下経路を前記中空構造部（１）内に画定するように配置されている、傾斜部分（１７）、を備える、
ビンインサート。
【請求項２】
前記中空構造部（１）は、円形、矩形、または正方形の横断面によって画定されている、
請求項１に記載のビンインサート。
【請求項３】
前記上部開口部（１３）および前記底部開口部（１４）は、前記中空構造部（１）の前記横断面全体に亘って広がっている、
請求項２に記載のビンインサート。
【請求項４】
前記角部を有する落下経路を前記中空構造部（１）内に画定している前記平行部分（１６）および前記傾斜部分（１７）は、前記中空構造部内の前記角部を有する落下経路が前記中空構造部（１）の前記上部開口部（１３）を前記底部開口部（１４）に接続するように配置されている、
請求項１〜３のいずれか一項に記載のビンインサート。
【請求項５】
一対の傾斜部分を成す少なくとも２つの傾斜部分（１７）を備え、前記対の前記２つの傾斜部分（１７）は、前記壁部において楔形部（１７１）を形成するように互いに対して傾いている、
請求項１〜４のいずれか一項に記載のビンインサート。
【請求項６】
少なくとも１つのさらなる対の２つの傾斜部分（１７）を備え、前記少なくとも１つのさらなる対の前記２つの傾斜部分（１７）は、前記壁部においてさらなる楔形部（１７２）を形成するように互いに対して傾いている、
請求項５に記載のビンインサート。
【請求項７】
前記楔形部（１７１）および前記少なくとも１つのさらなる楔形部（１７２）は、前記中空構造部（１）内の前記角部を有する落下経路が、前記中空構造部（１）の前記上部開口部（１３）を前記底部開口部（１４）に接続するジグザグのコースを含むように互いに対して配置されている、
請求項６に記載のビンインサート。
【請求項８】
前記楔形部（１７１）または前記少なくとも１つのさらなる楔形部（１７２）に接続された上面と、前記中空構造部（１）の前記底部開口部（１４）を含む底面と、を有する収容部（２０）をさらに備える、
請求項７に記載のビンインサート。
【請求項９】
前記中空構造部（１）の前記底部開口部（１４）は、前記主軸（１０）に対して傾斜している、
請求項８に記載のビンインサート。
【請求項１０】
前記中空構造部（１）は、少なくとも半透明のプラスチック、特に半透明の静電気敏感性デバイス用プラスチックから作られている、
請求項１〜９のいずれか一項に記載のビンインサート。
【請求項１１】
前記中空構造部（１）は、成形プラスチックを含む、
請求項１〜１０のいずれか一項に記載のビンインサート。
【請求項１２】
発光装置のビニング用、特に発光ダイオードのビニング用のビニング装置であって、
請求項１〜１１のいずれか一項に記載の少なくとも１つのビンインサートと、
前記ビンインサートを収容するように設計された少なくとも１つのビン（２１）と、を備える、
ビニング装置。
【請求項１３】
前記ビンインサートは、前記ビン（２１）に嵌合するように設計されている、
請求項１２に記載のビニング装置。
【請求項１４】
前記ビン（２１）の傾斜基部（２２）は、前記ビンインサートの傾斜した前記底部開口部（１４）に対応する、
請求項１２または１３に記載のビニング装置。
【請求項１５】
請求項１２〜１４のいずれか一項に記載の、発光装置のビニング用、特に発光ダイオードのビニング用のビニング装置の使用。
【発明の詳細な説明】
【技術分野】
【０００１】
本発明は、発光装置のビニング用のビンインサート、発光装置のビニング用のビニング装置、および発光装置のビニング用のビニング装置の使用に関する。
【背景技術】
【０００２】
発光ダイオード（ＬＥＤ）等の発光装置は、大量に製造される。しかしながら、各ＬＥＤは、同一群であっても色、光束、および順電圧等の特性パラメータが様々である。この差異は、有意な差異になり得る。これらの偏りを明らかにするために、各ＬＥＤについて測定が行われ、また各ＬＥＤは、類似の性質のビンに分類される。この類似の性質のＬＥＤを収集するプロセスをビニングという。特定のビンには、所定範囲内の波長、所定範囲内の光束値、およびＬＥＤに安全に印加可能な所定範囲内の順電圧で光を出射するＬＥＤが含まれうる。
【０００３】
ビンは例えば、容器であって、この容器の中にＬＥＤが自動ビニングマシンによって落とされ収集される。しかしながら、一般的なビニングマシンでは、ＬＥＤのガラス窓部チッピングとして知られている問題が生じる。この問題は、ビンの基部における装置に、ビニングマシンによってビンの中に落とされる他の落下してくる装置が直接的にぶつかることによって引き起こされる。これにより、窓部のチッピングによる大きな歩留り損失等のいくつかの欠点が生じうる。また、直接的にＬＥＤチップの上部における、ガラス窓部中央でのチッピングは、この装置の放射パターンに影響しうる。さらに、ビンは通常、アルミニウムから作られており、高頻度で使用されることにより摩耗しうる。摩耗したアルミニウムビンは例えば、アルミニウム粒子を放出し得、このアルミニウム粒子によってビンの中の装置が汚染されて装置の輝度が低下しうる。汚染を回避するために摩耗したアルミニウムビンを交換することには、大量にビンを交換する場合に高いコストが伴う。
【０００４】
これまで、ビンの基部に落下する装置の速度を低減するために、圧縮空気を用いて装置をビンの中に高速で投下する（purging）ことを回避して上記問題を最小化する試みがなされてきた。装置は、ビニングマシンのピックアップヘッドからビン内に重力によって落とされる。
【０００５】
しかしながら、機械によるビニングプロセスによって引き起こされるガラス窓部チッピングの問題は、上記方法では解決されなかった。重力によってビン内に落下する装置の速度が制御不能であったからである。実際、上から落下してくる装置がビンの基部における装置に直接的にぶつかることを回避することは依然として不可能であった。
【発明の概要】
【発明が解決しようとする課題】
【０００６】
ビニングの際の発光装置のガラス窓部チッピングを回避するための、発光装置のビニング用のビンインサート、発光装置のビニング用のビニング装置、および発光装置のビニング用の上記ビニング装置の使用を提供することが本発明の目的である。
【０００７】
提示した原理によれば、この目的は、独立請求項の主題によって達成される。さらなる発展形態および実施形態が従属請求項において説明される。
【０００８】
本原理に係る発光装置のビニング用のビンインサートが、中空構造部を備える。中空構造部は、上部に上部開口部を、底部に底部開口部を有する。中空構造部の壁部は、上部開口部と底部開口部の間に主軸に沿って伸長している。壁部は、平行部分および傾斜部分を有する。壁部の平行部分は、主軸に平行に伸長している。壁部の傾斜部分は、或る傾き角で主軸に向かって伸長している。平行部分および傾斜部分は、角部を有する落下経路を中空構造部内に画定するように配置されている。
【０００９】
ビンインサートは、発光ダイオード（ＬＥＤ）等の発光装置のビニングに使用可能である。ビンインサートは通常、アルミニウムビン等のビンの中に挿入されている。ビンは基本的には、例えば或る共通の特性の発光装置を収集するための容器を構成している。ビンインサートは通常、その上部側端部を上側に、底部側端部を下側にして直立している。これにより、上部開口部に挿入された発光装置は、重力によって底部側端部に向かって角部を有する落下経路に沿って落下することができる。傾斜部分は、壁部における傾斜平面、すなわちバッフルを構成している。これら平面、すなわちバッフルは、発光装置が移動することができる一定の領域を有する。傾斜部分は、落下遮断部（fall breakers）を構成し、発光装置の進路を変更してビンインサート内を直線路で落下しないようにする。角部を有する落下経路を発光装置が落下する場合に少なくとも一度減速されるように、角部を有する落下経路によって、少なくとも一度の上記進路変更が行われる。
【００１０】
したがって、発光装置をビンの中に直接的に投下するのではなく、発光装置は、傾斜部分によって形成された落下遮断部を有するビンインサートを通って落下する。傾斜部分は、ビニングマシンによってビンインサートの中に落下した後の装置の落下速度を減速する。発光装置は、ビンインサートの底部側端部に集まる。ビンインサートの底部が開口しているため、発光装置は、ビンインサートがビンから取り除かれた場合にビンの中に残る。
【００１１】
壁部には、好ましくは２つ以上の傾斜部分が存在する。これにより、角部を有する落下経路において２回以上の進路変更が行われる。角部を有する落下経路は、中空構造部の主軸に沿って複数の地点において角部を有する。
【００１２】
ビンインサートによって、落下する装置の衝撃は最小化され、また、落下する装置がビンの基部の他の装置の上に直接的に落ちてくることが防止される。ビンインサートは、ビンの中に装置が落下することによって引き起こされるガラス窓部チッピングを有意に減少し得、またはガラス窓部チッピングの発生を排除しさえしうる。ビンインサートはまた、ガラス窓部チッピングによって引き起こされる歩留り損失を低減し、製造の全体的生産性を高める。ビンインサートを頻繁に交換する必要はない。例えばアルミニウムビンよりも磨滅に強い材料でビンインサートを作ることができるからである。材料の選択によって、装置の潜在的汚染を低減することもできる。ビンインサートは、再利用のために容易に洗浄されることができ、長寿命化をもたらすことができる。より多くにビンインサートを再利用できることによって、アルミニウムビンのみの場合に比して交換コストが低下する。また、インサートを使用することによって、インサート除去後にビンを空にすることがかなり容易になる。
【００１３】
壁部における平行部分および傾斜部分は、傾き角によって特徴付けられることができる。傾き角とは、主軸からの偏向（度合に関する）を意味する。例えば、平行部分の傾き角は定義上、０°である。傾斜部分の傾き角の範囲を、０°より大きい値であって、最大９０°とすることができる。傾き角が９０°の場合、傾斜部分は、主軸に直交している。しかしながら、傾斜部分の傾き角の選択は、発光装置が途中で詰まることなくビンインサート内を落下することができる値に制限される。傾斜部分の傾き角は例えば、４５°以上である。実際の選択は、ビンインサートの材料や落下する発光装置の速度等の様々な要因に依存する。傾き角は、各傾斜部分のほとんどまたは全てで同一であり得る。より分かり易くするために、主軸をビンインサートの中心軸とすることができる。
【００１４】
他の態様によれば、中空構造部は、円形、矩形、または正方形の横断面によって画定されている。壁部の平行部分は好ましくは、円形、矩形、または正方形の横断面を有する。基本的に同一の断面を有するビンがビンインサートを包囲し得、かつビンインサートがビンの中に挿入されることができるように平行部分の横断面は基本的に、全ての平行部分について同一であり得る。
【００１５】
他の態様によれば、上部開口部および底部開口部は、中空構造部の横断面全体に亘って広がっている。
【００１６】
これにより、上部側端部および底部側端部における最大限の開口部を、発光装置の挿入および発光装置のビンインサートからの取出しに使用することができる。さらに、発光装置を汚染しうる粒子によって内面が被覆された場合にビンインサートを後に再利用するために洗浄することが大きな開口部のおかげで容易になっている。
【００１７】
他の態様によれば、角部を有する落下経路を中空構造部内に画定している平行部分および傾斜部分は、角部を有する落下経路が中空構造部の上部開口部を底部開口部に接続するように配置されている。
【００１８】
ビニング時、発光装置は、ビンインサート内に挿入されて重力によって中空構造部の上部側端部から底部側端部まで落下する。上部側端部を底部側端部に接続している角部を有する落下経路は、詰まってしまうリスクが最小化されるように発光装置のための連続路を提供している。
【００１９】
他の態様によれば、ビンインサートは、一対の傾斜部分を成す少なくとも２つの傾斜部分を有する。実際、この対の２つの傾斜部分は、壁部において楔形部（wedge）を形成するように互いに対して傾いている。
【００２０】
傾斜部分は、壁部における傾斜平面、すなわちバッフルを構成している。これら平面、すなわちバッフルは、発光装置が移動することができる一定の領域を有する。上記楔形部は、一定の傾斜角をもたらすように適合可能である。この傾斜角は、対を成す２つの傾斜部分のそれぞれの傾き角によって定義される。傾斜角は、発光装置が中空構造部の上部側端部から詰まることなくビンインサートを下って落下することができるように選択される。
【００２１】
他の態様によれば、ビンインサートは、少なくとも１つのさらなる対の傾斜部分を備える。少なくとも１つのさらなる対の２つのさらなる傾斜部分は、壁部においてさらなる楔形部を形成するように互いに対して傾いている。少なくとも１つのさらなる対の傾斜部分の傾斜角は、発光装置が中空構造部の上部側端部から詰まることなくビンインサートを下って落下することができるように選択される。
【００２２】
一般的に、傾斜部分の数は、制限されておらず、所定の用途に応じて、または落下速度の所望の減速を考慮して選択可能である。ビンインサートは好ましくは、楔形部および少なくとも１つのさらなる楔形部を形成するように配置された２対の傾斜部分を備える。両楔形部は、発光装置が中空構造部の上部側端部から詰まることなくビンインサートを下って落下することができるように互いに対して配置されている。
【００２３】
他の態様によれば、楔形部および少なくとも１つのさらなる楔形部は、中空構造部内の角部を有する落下経路がジグザグのコースになるように互いに対して配置されている。ジグザグのコースは、中空構造部の上部開口部を底部開口部に接続している。
【００２４】
発光装置がビンインサートを一直線に下って底部の他の装置の上に落下させてしまうのではなく、ビンインサートによって確実に、発光装置は、最終的に底部に到達する前に傾斜部分によって複数回進路変更されるジグザグのコースに沿って進む。最終的な落下地点はまた、発光装置の最終静止地点から離れている。したがって、発光装置は例えば、ビンにおける他の装置の上に直接的に落下しない。
【００２５】
他の態様によれば、ビンインサートは、楔形部または少なくとも１つのさらなる楔形部に接続している上面を有する収容部を備える。収容部はまた、中空構造部の底部開口部を含む底面を有する。
【００２６】
収容部は、角部を有する落下経路であって、壁部の平行部分および傾斜部分（例えば、楔形部または少なくとも１つのさらなる楔形部）によって画定された落下経路に沿ってビンインサート内を落下してきた発光装置を収集するために使用される。好ましくは、中空構造部の収容部において、壁部は、平行部分のみを備える。収容部の高さによって、１つのビンインサートを使用して収集可能な発光装置の数量が決まる。
【００２７】
収容部の上面に最も近い傾斜部分の傾き角は、ビンインサートを使用して収集可能な装置の高さを最大化するために主軸に対して直交している。ビンインサート内の発光装置の最大数は、特定の発光装置の大きさに応じて収容部の高さを超えないように制限されうる。これにより、大量の発光装置が落下経路内で詰まってしまうことが防止されうる。
【００２８】
他の態様によれば、中空構造部の底部開口部は、主軸に対して傾斜している。傾斜した底部開口部は、ビンインサートが挿入されるビンの傾斜基部に対応しうる。
【００２９】
これにより、落下経路を落下する発光装置は、傾斜基部に或る地点でぶつかることができ、次いで、基部が傾斜しているため基部に沿って下部に向かって最終的に止まるまで下降することができる。これにより、落下地点は、発光装置の最終静止地点からずれており、発光装置は、ビンの基部における発光装置の上に直接的に落下しない。さらに、障害なくビンインサートから発光装置を取り出して空にすることができる。
【００３０】
他の態様によれば、中空構造部は、少なくとも半透明プラスチックから作られている。特に、中空構造部を、静電気敏感性デバイス（ＥＳＤ；electrostatic sensitive device）用の半透明プラスチックから作ることができる。
【００３１】
ビンインサートの材料としてプラスチックまたはＥＳＤ用プラスチックを使用すると、磨滅量を低減することができる。ビンインサートがＥＳＤ用のコーティング膜によって被覆されるのみではないため、同一のビンインサートを長期間使用した後の磨滅に起因するＥＳＤに関する懸念は無い。半透明プラスチックによって、プラスチックインサートの中身を比較的明瞭に視認することができる。それにより、次のサイクルのためにインサートを再利用する前に確実にビンインサートから不要なユニットを取り出してビンインサートを完全に空にすることが操作者にとって容易になる。
【００３２】
他の態様によれば、中空構造部は、成形プラスチックを備える。インサートにおいて成形プラスチックを交換するコストは、製造されたアルミニウムビンの交換費用よりずっと安価であり得る。
【００３３】
発光装置のビニング用の、特に発光ダイオードのビニング用のビニング装置が、上述の原理に係るビンインサートを備える。さらに、ビニング装置は、ビンインサートを収容するように設計された少なくとも１つのビンを備える。
【００３４】
ビニング装置は、発光ダイオード（ＬＥＤ）等の発光装置のビニングに使用可能である。ビンインサートは通常、アルミニウムビン等のビンの中に挿入されており、上部側端部を上側に、底部側端部を下側にして直立している。これにより、上部開口部に挿入された発光装置は、重力によって底部側端部に向かって角部を有する落下経路に沿って落下することができる。傾斜部分は、壁部における傾斜平面、すなわちバッフルを構成している。これら平面、すなわちバッフルは、発光装置が移動することができる一定の領域を有する。傾斜部分は、落下遮断部を構成し、発光装置の進路を変更してビンインサートを直線路で落下しないようにする。角部を有する落下経路を発光装置が落下する場合に少なくとも一度減速されるように、角部を有する落下経路によって、少なくとも一度の上記進路変更が行われる。
【００３５】
したがって、発光装置をビンの中に直接的に投下するのではなく、発光装置は、傾斜部分によって形成された落下遮断部を有するビンインサートを通って落下する。傾斜部分は、ビニングマシンによってビンインサートの中に落下した後の装置の落下速度を減速する。発光装置は、ビンインサートの底部側端部に集まる。ビンインサートの底部が開口しているため、発光装置は、ビンインサートがビンから取り除かれた場合にビンの中に残る。
【００３６】
ビンインサートによって、落下する装置の衝撃は最小化され、また、落下する装置がビンの基部の他の装置の上に直接的に落ちてくることが防止される。ビンインサートは、ビンの中に装置が落下することによって引き起こされるガラス窓部チッピングを有意に減少し得、またはガラス窓部チッピングの発生を排除しさえしうる。ビンインサートはまた、ガラス窓部チッピングによって引き起こされる歩留り損失を低減し、製造の全体的生産性を高める。ビンインサートを頻繁に交換する必要はない。例えばアルミニウムビンよりも磨滅に強い材料でビンインサートを作ることができるからである。材料の選択によって、装置の潜在的汚染を低減することもできる。ビンインサートは、再利用のために容易に洗浄されることができ、長寿命化をもたらすことができる。より頻繁にビンインサートを再利用できることによって、アルミニウムビンのみの場合に比して交換コストが低下する。また、インサートを使用することによって、インサート除去後にビンを空にすることが比較的容易になる。
【００３７】
他の態様によれば、ビンインサートは、少なくとも１つのビンに嵌合するように設計されている。
【００３８】
他の態様によれば、ビンの傾斜基部は、ビンインサートの傾斜した底部開口部に対応している。
【００３９】
これにより、落下経路を落下する発光装置は、傾斜基部に或る地点でぶつかることができ、次いで、基部が傾斜しているため基部に沿って下部に向かって最終的に止まるまで下降することができる。これにより、落下地点は、発光装置の最終静止地点からずれており、発光装置は、ビンの基部における発光装置の上に直接的に落下しない。さらに、障害なくビンインサートから発光装置を取り出して空にすることができる。
【００４０】
以下、例示的実施形態が示された図面に関して、上述の原理をさらに詳細に説明する。
【図面の簡単な説明】
【００４１】
【図１】ビンインサートの例示的実施形態を示す図である。
【図２】アルミニウムビンの中に挿入されたビンインサートの例示的実施形態を示す図である。
【図３】アルミニウムビンの中に挿入されたビンインサートの他の例示的実施形態を示す図である。
【図４】例示的なビニング装置を示す図である。
【発明を実施するための形態】
【００４２】
図１は、ビンインサートの例示的実施形態を示す図である。ビンインサートは、主軸１０（図において主中心軸として示されている）を有する中空構造部１を備える。中空構造部１は基本的には、導管状の、すなわちパイプ状の構造であり、また、中空構造部１の断面は、実質的に円形、矩形、または正方形であることができる。中空構造部１は、主軸１０に沿って伸長しており、上部側端部１１および底部側端部１２を有する。上部開口部１３が上部側端部１１に、底部開口部１４が底部側端部１２に位置決めされている。両方の開口部１３，１４は、中空構造部１の断面の大部分に亘って広がっている。
【００４３】
さらに、中空構造部１は、平行部分１６および傾斜部分１７を有する壁部１５を備える。壁部１５における平行部分１６および傾斜部分１７は、傾き角によって特徴付けられることができる。傾き角とは、主軸１０からの偏向（度合に関する）を意味する。例えば、平行部分１６の傾き角は定義上、０°である。傾斜部分１７の傾き角の範囲を、０°より大きい値であって、最大９０°とすることができる。傾き角が９０°の場合、傾斜部分１７は、主軸に直交している。
【００４４】
傾斜部分１７は、対で配置されており、壁部１５の内部に楔形部１７１，１７２を形成している。各傾斜部分１７は、一定の領域を有する傾斜平面を形成する。この領域は、図においてグレーの領域として示されている。対における、すなわち楔形部１７１，１７２における傾斜部分１７は、互いに対して傾いており、互いが接する接点部１７３を有する。
【００４５】
図１では、第１のおよび第２の傾斜部分１７をそれぞれが備える第１のおよび第２の楔形部１７１，１７２が図示されている。この具体的な実施形態では、第１の楔形部１７１における第１の傾斜部分１７は、主軸１０の方向に配向された傾き角を有する。この傾き角は例えば、約４５°である。これを他の値とすることもできる。第１の楔形部１７１の第２の傾斜部分１７の傾き角は、第２の楔形部１７２の第１の傾斜部分１７の傾き角と実質的に同一である。これにより、第１の楔形部１７１における第２の傾斜部分１７と第２の楔形部１７２における第１の傾斜部分１７とは平行であり、かつそれら傾斜部分の間に経路を開けたままにしている。最後に、第２の楔形部１７２における第２の傾斜部分１７の傾き角は、９０°であり、この傾斜部分は主軸１０に直交している。
【００４６】
楔形部１７１，１７２、すなわち傾斜部分１７は、主軸１０の方向に一定程度伸長している。楔形部１７１，１７２が中空構造部１内にどれだけ伸長しているかに応じて、狭小領域が楔形部１７１，１７２によって開かれたままになる。図では、第１の楔形部１７１は、第１の狭小領域１８を、第２の楔形部１７２は、第２の狭小領域１９を中空構造部１内で開いたままにしている。これら狭小領域１８，１９は、本ビンインサートを用いたビニングの対象の発光装置より大きくされるべきである。一例を挙げると、楔形部１７１，１７２は、中空構造部１の断面の１つの半径程度まで主軸１０の方向に伸長している。
【００４７】
ビンインサートは、半透明のＥＳＤ用プラスチックから作られている。ＥＳＤ用プラスチックは、静電気を低減して静電気敏感性デバイス（ＥＳＤ）を保護する、例えばポリエチレン等のプラスチックである。ビンインサートの下部は、基本的には容器として使用される収容部２０を含む。収容部２０は、第２の楔形部１７２の第２の傾斜部分１７を上部として含む。収容部２０は下部に、底部開口部１４を含む。
【００４８】
図２は、アルミニウムビンの中に挿入されたビンインサートの例示的実施形態を示す図である。図１のビンインサートは、ビン２１、好ましくはアルミニウムビンの中に挿入されてビニング装置として使用されることができる。ビン２１は、ビンインサートが大きな遊びなしにビンの中に挿入されることができるようにビンの断面に類似の断面を有する。同様に、ビン２１およびビンインサートの長さは、ビンインサートがビンの中に完全に挿入されることができ、かつビニング完了時には容易に取り除けるように同程度の長さである。
【００４９】
図３は、アルミニウムビンの中に挿入されたビンインサートの他の例示的実施形態を示す図である。この図は、どのように図１のビンインサートを図２のビン２１の中に挿入することができるかを概略的に表している。ビン２１は傾斜基部２２を有し、傾斜基部２２は、ビンインサートの、同一の傾き角で同様に傾斜した底部開口部１４に対応している。これによりビンインサートは、所定の位置および配向でビン２１に嵌合している。
【００５０】
図３のビニング装置は、ビン２１の中に発光ダイオード（ＬＥＤ）等の発光装置を収集する（ビニングと呼ばれるプロセス）ために使用可能である。ビンインサートは、装置がビン２１の中に落とされる前にビン２１の内部に配置される。ビニング装置は通常、発光装置をいくつかのグループに分類するために複数のいくつかのビン２１および対応する複数のビンインサートを備える。
【００５１】
発光装置は基本的には、ビンインサートの上部開口部１３を介してビニング装置の中に挿入される。発光装置は重力によってビンインサート内を落下し、収容部２０の下部において収集される。したがって、ビン２１の中に直接的に発光装置を投下するのではなく、発光装置は、ビンインサートの中に落とされる。
【００５２】
傾斜部分１７、すなわち楔形部１７１，１７２は、落下遮断部として機能し、ビニングマシンによってビンインサートの中に落とされた発光装置の進行速度を減速する。この発光装置は、楔形部１７１，１７２の傾斜部分１７の位置によって画定された、角部を有する落下経路に沿って進む。角部を有する落下経路は、図のグレーの矢印３０，３１，３２，３３，３４，３５によって示されている。図３の特定の実施形態では、傾斜部分１７および楔形部１７１，１７２によって確実に、発光装置は、ビンの基部に到達する前にジグザグの経路でビンインサートを下って進行する。角部を有する落下経路が確実に連続し、落下する発光装置が途中で詰まってしまわないように、楔形部１７１，１７２の接点部１７３と壁部１５の平行部分１６との間の狭小領域１８，１９を、発光装置に適合する十分な大きさにする必要がある。
【００５３】
第１のおよび第２の楔形部１７１，１７２、すなわち落下遮断部は、ビンインサートの中に落とされた発光装置の落下速度を低減し、発光装置がビンの基部２２に既に存在する他の装置にぶつかる場合の衝撃を最小化する。発光装置の最終落下地点はまた、ビンの基部２２の傾斜角によって、ビンの基部２２における発光装置の最終静止地点からずれている。したがって、発光装置は、ビンの基部における他の装置の上に直接的に落下しない。
【００５４】
第２の楔形部１７２の第２の傾斜部分１７には、ビンの基部２２に集められた装置を、これら装置に他の上から落下してくる装置が直接的にぶつかってしまうことから保護する機能もある。ビンインサート内の発光装置の最大数量は、発光装置が図の参照番号３６で示される高さを超えないように収容部のサイズに従って限定されている。これにより、大量の発光装置がビンインサートの狭小領域１９において詰まってしまうことが防止される。
【００５５】
ビンインサートが半透明のＥＳＤ用プラスチックから作られているため、同一のビンインサートを一定期間使用することで起こり得る表面の磨滅に起因するＥＳＤに関する懸念は無い。半透明材料によって、ビンインサート内部の発光装置を比較的良好に視認することができる。それにより、起こり得るビニングの混合を防止するためにビンインサートが完全に空であることを確認することが操作者にとって容易になる。プラスチックのビンインサートの底部１４における大きな開口部によって確実に、ビンインサートがアルミニウムビンから取り出された後に、発光装置は、スムーズにビンインサートから落下する（図４も参照）。プラスチックのビンインサートは、落下してくる発光装置がビンのアルミニウムの側壁に繰返しぶつかることを防止し、摩耗するアルミニウムの内壁の陽極酸化表面に重ねられている。
【００５６】
図４は、例示的なビニング装置を示す図である。この図は、どのようにビンインサートが、ビニングでの収集の終了のために、アルミニウムビン２１の内部から取り除かれるかを示す。ビン２１を空にするために、プラスチックのビンインサートは、アルミニウムビンの上部から簡単に引き出される。ここでアルミニウムビンに残る発光装置は、障害物なく容易に取り出されることができる。
【符号の説明】
【００５７】
１  中空構造部
１０  主軸
１１  上部側端部
１２  底部側端部
１３  上部開口部
１４  底部開口部
１５  壁部
１６  平行部分
１７  傾斜部分
１８  狭小領域
１９  狭小領域
２０  収容部
２１  ビン
２２  基部
３１  矢印
３２  矢印
３３  矢印
３４  矢印
３５  矢印
３６  高さ
１７１  第１の楔形部
１７２  第２の楔形部
１７３  接点部
【図１】
2018517635.tif 000003
【図２】
2018517635.tif 000004
【図３】
2018517635.tif 000005
【図４】
2018517635.tif 000006
【国際調査報告】
2018517635.tif 000007
2018517635.tif 000008